(57)【要約】【課題】表示パネルの操作を円滑にすることが可能な画像形成装置を提供する。【解決手段】画像形成装置は、任意の位置で折り曲げ可能な情報を表示するための表示パネルと、表示パネルに画像形成装置に関する情報を出力する表示制御部とを備える。表示制御部は、表示パネルに表示する画面の分割要求を受け付けた場合に、表示パネルに折り曲げ位置を表示する。【選択図】図６
2020197818.tif 000002
【特許請求の範囲】
【請求項１】
任意の位置で折り曲げ可能な情報を表示するための表示パネルと、
前記表示パネルに画像形成装置に関する情報を出力する表示制御部とを備え、
前記表示制御部は、前記表示パネルに表示する画面の分割要求を受け付けた場合に、前記表示パネルに折り曲げ位置を表示する、画像形成装置。
【請求項２】
複数のユーザーを検知することが可能なセンサーと、
前記センサーの検知結果に基づいて前記表示制御部に対して前記画面の分割要求を出力する分割要求部とをさらに備える、請求項１記載の画像形成装置。
【請求項３】
前記分割要求部は、前記センサーの検知結果および前記画像形成装置に異常が発生している場合に前記表示制御部に対して前記画面の分割要求を出力する、請求項２記載の画像形成装置。
【請求項４】
前記表示制御部は、前記異常の内容に基づいて前記表示パネルに縦折れあるいは横折れの折り曲げ位置を表示する、請求項２記載の画像形成装置。
【請求項５】
前記表示制御部は、前記表示パネルに分割して表示する画面サイズに基づいて複数の折り曲げ位置を表示する、請求項１記載の画像形成装置。
【請求項６】
前記分割要求部は、前記センサーの検知結果および前記画像形成装置に付属装置を接続する場合に前記表示制御部に対して前記画面の分割要求を出力する、請求項２記載の画像形成装置。
【請求項７】
前記表示制御部は、縦線、横線、図形、色の少なくとも１つ以上を用いて前記表示パネルに折り曲げ位置を表示する、請求項１記載の画像形成装置。
【請求項８】
前記表示パネルの折れ曲がりを検知する屈曲センサーをさらに備え、
前記表示制御部は、前記屈曲センサーからの検知結果に基づいて前記表示パネルに表示する画面を分割して表示する、請求項１〜７のいずれか１項に記載の画像形成装置。
【発明の詳細な説明】
【技術分野】
【０００１】
本開示は、画像形成装置に関し、折り曲げ可能な表示パネルを有する画像形成装置に関する。
【背景技術】
【０００２】
近年のスマートフォンや、タブレットに見られるように、画面の大型化が進んでいる。これは一度に表示できる情報量が多い方がユーザーの利便性が高いためである。一方で、画面の大型化が進んだことにより、携帯性が失われつつある。また、用途の違いからスマートフォンとタブレットの２台持ちを行うユーザーも出てきており、２台とも携帯しなければならない状態となってしまっている。
【０００３】
この点で、用途に応じて折り曲げ可能な表示装置に関する種々の技術等が提案されている（特許文献１〜４参照）。
【先行技術文献】
【特許文献】
【０００４】
【特許文献１】特開２０１４−３５４９６号公報
【特許文献２】特開２０１５−１５０１８号公報
【特許文献３】特開２０１８−３７０７９号公報
【特許文献４】特開２０１８−１９８０７３号公報
【発明の概要】
【発明が解決しようとする課題】
【０００５】
一方で、画像形成装置に搭載されている折り曲げ可能な表示パネルに関して、複数のユーザーが当該表示パネルを折り曲げて操作する場合、ユーザーはどの位置で折り曲げてよいのか判断できず、操作性および視認性が悪く表示パネルの操作がし難いという課題がある。
【０００６】
本開示は上述のような背景に鑑みてなされたものであって、表示パネルの操作を円滑にすることが可能な画像形成装置に関する。
【課題を解決するための手段】
【０００７】
ある局面に従う画像形成装置は、任意の位置で折り曲げ可能な情報を表示するための表示パネルと、表示パネルに画像形成装置に関する情報を出力する表示制御部とを備える。表示制御部は、表示パネルに表示する画面の分割要求を受け付けた場合に、表示パネルに折り曲げ位置を表示する。
【０００８】
好ましくは、画像形成装置は、複数のユーザーを検知することが可能なセンサーと、センサーの検知結果に基づいて表示制御部に対して画面の分割要求を出力する分割要求部とをさらに備える。
【０００９】
好ましくは、分割要求部は、センサーの検知結果および画像形成装置に異常が発生している場合に表示制御部に対して画面の分割要求を出力する。
【００１０】
好ましくは、表示制御部は、異常の内容に基づいて表示パネルに縦折れあるいは横折れの折り曲げ位置を表示する。
【００１１】
好ましくは、表示制御部は、表示パネルに分割して表示する画面サイズに基づいて複数の折り曲げ位置を表示する。
【００１２】
好ましくは、分割要求部は、センサーの検知結果および画像形成装置に付属装置を接続する場合に表示制御部に対して画面の分割要求を出力する。
【００１３】
好ましくは、表示制御部は、縦線、横線、図形、色の少なくとも１つ以上を用いて表示パネルに折り曲げ位置を表示する。
【００１４】
好ましくは、画像形成装置は、表示パネルの折れ曲がりを検知する屈曲センサーをさらに備える。表示制御部は、屈曲センサーからの検知結果に基づいて表示パネルに表示する画面を分割して表示する。
【００１５】
この発明の上記および他の目的、特徴、局面および利点は、添付の図面と関連して理解されるこの発明に関する次の詳細な説明から明らかとなるであろう。
【図面の簡単な説明】
【００１６】
【図１】画像形成装置１の外観を説明する図である。
【図２】画像形成装置１の構成を説明する図である。
【図３】画像形成装置１の主要なハードウェア構成を示すブロック図である。
【図４】画像形成装置１の表示パネル１０５を説明する図である。
【図５】表示パネル１０５の折り曲げ状態を説明する図である。
【図６】実施形態に従う表示パネル１０５に表示する縦折れの折り曲げ位置を説明する図である。
【図７】実施形態に従う表示パネル１０５に表示する横折れの折り曲げ位置を説明する図である。
【図８】実施形態に従う制御装置１０１の機能ブロックを説明する図である。
【図９】実施形態に従う分割要求部１１６の処理を説明するフロー図である。
【図１０】実施形態の変形例に従う分割要求部１１６の処理を説明するフロー図である。
【発明を実施するための形態】
【００１７】
以下、図面を参照しつつ、本開示に係る技術思想の実施の形態について説明する。以下の説明では、同一の部品には同一の符号を付してある。それらの名称および機能も同じである。したがって、それらについての詳細な説明は繰り返さない。
【００１８】
以下の実施形態では、画像形成装置としては、たとえばＭＦＰ、プリンター、複写機、またはファクシミリなどが挙げられる。
【００１９】
［１．画像形成装置１の構成］
図１は、画像形成装置１の外観を説明する図である。
【００２０】
図１を参照して、画像形成装置１は、カラープリンターとしての画像形成装置１が示されている。以下では、カラープリンターとしての画像形成装置１について説明するが、画像形成装置１は、カラープリンターに限定されない。たとえば、画像形成装置１は、モノクロプリンターであってもよいし、モノクロプリンターまたはカラープリンターとファクシミリとの複合機（所謂ＭＦＰ（Multi  Functional  Peripheral））であってもよい。
【００２１】
画像形成装置１は、画像読取部としてのスキャナー２０と、プリンター２５とを備える。スキャナー２０には、ＡＤＦ（Auto  Document  Feeder）２４が設けられている。プリンター２５には、用紙を収納するカセット３７が設けられている。
【００２２】
画像形成装置１は、画像形成装置１に関する各種の設定操作や情報を表示するための表示パネル１０５を備える。表示パネル１０５は、画像形成装置１の正面側に設けられている。
【００２３】
実施形態においては、表示パネル１０５は、任意の位置で折り曲げ可能な構造を有する。
【００２４】
図２は、画像形成装置１の構成を説明する図である。
図２を参照して、画像形成装置１の上部には、スキャナー２０が設けられている。スキャナー２０は、カバー２１と、用紙台２２と、トレー２３と、ＡＤＦ２４とを含む。カバー２１の一端は、用紙台２２に固定されており、カバー２１は、当該一端を支点として開閉可能に構成されている。操作者は、カバー２１を開くことで、原稿を用紙台２２にセットすることができる。画像形成装置１は、原稿が用紙台２２にセットされた状態でスキャン指示を受け付けると、用紙台２２にセットされた原稿のスキャンを開始する。また、画像形成装置１は、原稿がトレー２３にセットされた状態でスキャン指示を受け付けると、ＡＤＦ２４によって１枚ずつ自動的に原稿を読み取る。
【００２５】
プリンター２５は、画像形成部９０Ｙ，９０Ｍ，９０Ｃ，９０Ｋと、ＩＤＣ（Image  Density  Control）センサー１９と、転写ベルト３０と、一次転写ローラー３１と、転写駆動機３２と、二次転写ローラー３３と、カセット３７Ａ〜３７Ｃと、従動ローラー３８と、駆動ローラー３９と、タイミングローラー４０と、クリーニングユニット４３と、定着器７０とを備える。
【００２６】
画像形成部９０Ｙ，９０Ｍ，９０Ｃ，９０Ｋは、転写ベルト３０に沿って順に並べられている。画像形成部９０Ｙは、トナーボトル１５Ｙからトナーの供給を受けてイエロー（Ｙ）のトナー像を形成する。画像形成部９０Ｍは、トナーボトル１５Ｍからトナーの供給を受けてマゼンタ（Ｍ）のトナー像を形成する。画像形成部９０Ｃは、トナーボトル１５Ｃからトナーの供給を受けてシアン（Ｃ）のトナー像を形成する。画像形成部９０Ｋは、トナーボトル１５Ｋからトナーの供給を受けてブラック（ＢＫ）のトナー像を形成する。
【００２７】
画像形成部９０Ｙ，９０Ｍ，９０Ｃ，９０Ｋは、それぞれ、転写ベルト３０に沿って転写ベルト３０の回転方向の順に配置されている。画像形成部９０Ｙ，９０Ｍ，９０Ｃ，９０Ｋはそれぞれ、回転可能に構成されている感光体１０と、帯電装置１１と、露光装置１３と、現像器１４と、クリーニングユニット１７と、トナーセンサ１８とを備える。
【００２８】
画像形成部９０Ｙ，９０Ｍ，９０Ｃ，９０Ｋがそれぞれ、上述したように作動した後に、転写駆動機３２の転写によって、イエロー（Ｙ）のトナー像、マゼンタ（Ｍ）のトナー像、シアン（Ｃ）のトナー像、およびブラック（ＢＫ）のトナー像が順に重ねられて感光体１０から転写ベルト３０に転写される。これにより、カラーのトナー像が転写ベルト３０上に形成される。
【００２９】
ＩＤＣセンサー１９は、転写ベルト３０上に形成されるトナー像３５の濃度を検知する。典型的には、ＩＤＣセンサー１９は、反射型フォトセンサーからなる光強度センサーであり、転写ベルト３０の表面からの反射光強度を検知する。
【００３０】
転写ベルト３０は、従動ローラー３８と駆動ローラー３９とに張架されている。駆動ローラー３９はモーター（図示しない）に接続されている。当該モーターを制御することにより、駆動ローラー３９は回転する。転写ベルト３０および従動ローラー３８は、駆動ローラー３９に連動して回転する。これにより、転写ベルト３０上のトナー像３５が二次転写ローラー３３に送られる。
【００３１】
カセット３７Ａ〜３７Ｃのそれぞれには、異なる大きさの用紙がセットされる。用紙は、記録媒体の一例である。用紙は、カセット３７Ａ〜３７Ｃのいずれかから１枚ずつタイミングローラー４０によって搬送経路４１に沿って二次転写ローラー３３に送られる。用紙が送り出されるタイミングに合わせて、二次転写ローラー３３に印加する転写電圧を制御する。
【００３２】
二次転写ローラー３３は、トナー像３５の帯電極性と逆極性の転写電圧を搬送中の用紙に印加する。その結果、トナー像３５は、転写ベルト３０から二次転写ローラー３３に引き付けられ、転写ベルト３０上のトナー像３５が転写される。二次転写ローラー３３への用紙の搬送タイミングは、転写ベルト３０上のトナー像３５の位置に合わせてタイミングローラー４０によって制御される。その結果、転写ベルト３０上のトナー像３５は、用紙の適切な位置に転写される。
【００３３】
定着器７０は、定着器７０を通過する用紙を加圧および加熱する。これにより、トナー像は用紙に定着する。その後、用紙は、トレー４９に排紙される。
【００３４】
クリーニングユニット４３は、転写ベルト３０から用紙へのトナー像の転写後に転写ベルト３０の表面に残留するトナーを回収する。回収されたトナーは、搬送スクリュー（図示しない）で搬送され、廃トナー容器（図示しない）に貯められる。
【００３５】
［２．ハードウェア構成］
図３は、画像形成装置１の主要なハードウェア構成を示すブロック図である。
【００３６】
図３を参照して、画像形成装置１のハードウェア構成の一例について説明する。
画像形成装置１は、スキャナー２０およびプリンター２５に加え、制御装置１０１と、ＲＯＭ（Read  Only  Memory）１０２と、ＲＡＭ（Random  Access  Memory）１０３と、ネットワークインターフェイス１０４と、表示パネル１０５と、屈曲センサー１０６と、人検知センサー１０８と、記憶装置１１０とを含む。
【００３７】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００３８】
制御装置１０１は、画像形成装置１の制御パラメーターを調整するためのプログラム１１２などの各種プログラムを実行することで画像形成装置１の動作を制御する。
【００３９】
制御装置１０１は、プログラム１１２の実行命令を受け付けたことに基づいて、記憶装置１１０からＲＡＭ１０３にプログラム１１２を読み出す。ＲＡＭ１０３は、ワーキングメモリとして機能し、プログラム１１２の実行に必要な各種データを一時的に格納する。
【００４０】
ネットワークインターフェイス１０４には、アンテナ（図示しない）などが接続される。画像形成装置１は、アンテナを介して、外部の通信機器との間でデータをやり取りする。外部の通信機器は、たとえば、スマートフォンなどの携帯通信端末、サーバーなどを含む。画像形成装置１は、プログラム１１２をアンテナを介してサーバーからダウンロードできるように構成されてもよい。
【００４１】
表示パネル１０５は、ディスプレイとタッチパネルとで構成されている。ディスプレイおよびタッチパネルは互いに重ねられており、画像形成装置１に対する操作をタッチ操作で受け付ける。一例として、表示パネル１０５は、各種の設定の操作などを受け付ける。
【００４２】
表示パネル１０５は任意の位置で折り曲げ可能な構造を有する。また、表示パネル１０５は、設定操作を受け付けるのみならず、ユーザーに各種の情報を提供することが可能である。具体的には、トラブルを解消するための手順を示すガイド動画または図解を表示することが可能である。また、オプションであるフィニッシャーを増設する場合に本体との接続方法を動画で解説表示することも可能である。こうした動画または図解の情報は、予め記憶装置１１０に格納されているものとする。
【００４３】
記憶装置１１０は、たとえば、ハードディスク、ＳＳＤ（Solid State Drive）その他の記憶装置である。記憶装置１１０は、内蔵式、外付け式のいずれであってもよい。記憶装置１１０は、本実施形態に従うプログラム１１２などを格納する。ただし、プログラム１１２の格納場所は記憶装置１１０に限定されず、制御装置１０１の記憶領域（たとえば、キャッシュなど）、ＲＯＭ１０２、ＲＡＭ１０３、外部機器（たとえば、サーバー）などに格納されていてもよい。
【００４４】
プログラム１１２は、単体のプログラムとしてではなく、任意のプログラムの一部に組み込まれて提供されてもよい。この場合、本実施形態に従う制御処理は、任意のプログラムと協働して実現される。このような一部のモジュールを含まないプログラムであっても、本実施形態に従うプログラム１１２の趣旨を逸脱するものではない。
【００４５】
さらに、プログラム１１２によって提供される機能の一部または全部は、専用のハードウェアによって実現されてもよい。さらに、少なくとも１つのサーバーがプログラム１１２の処理の一部を実行する所謂クラウドサービスのような形態で画像形成装置１が構成されてもよい。
【００４６】
屈曲センサー１０６は、表示パネル１０５の折れ曲がりを検知するセンサーである。
人検知センサー１０８は、画像形成装置１の周囲にいる人を検知するセンサーである。例えば、赤外線センサーあるいは画像センサーを用いることが可能である。
【００４７】
図４は、画像形成装置１の表示パネル１０５を説明する図である。
図４を参照して、表示パネル１０５には、メイン表示領域１２０が設けられている。
【００４８】
また、メイン表示領域１２０には、各種モードの表示や設定等を実行するためにタッチパネルが取付けられている。
【００４９】
このタッチパネルによって、操作者はメイン表示領域１２０内の表示内容に従った各種設定を行なうことができる。また、タッチパネルにおける設定画面領域には、通常はコピー動作やスキャン動作を実行する際に行なう基本的／応用的な設定のためのボタンが配置されている。各ボタンを押下するとその詳細設定を行なうための階層画面が表示される。
【００５０】
本例においては、一例として、コピー動作を実行するための各種詳細設定領域が示されており、当該領域内において、倍率を調整するためのアイコン１４０、濃度を調整するためのアイコン１４２、画像調整のためのアイコン１４４、用紙を設定するためのアイコン１４６がそれぞれ設けられている。
【００５１】
本例においては、コピー動作を実行する場合の各種詳細設定のためのアイコンについて説明したが、スキャン動作についても同様の詳細設定領域が表示される。
【００５２】
また、左側のジョブ情報画面領域にはその時点で画像形成装置１に投入されているジョブ情報が表示される。表示は実行されるべきジョブの順序で並んでいる。特定のジョブに対して消去変更等の操作を行なう場合は、ジョブ操作ボタンを選択した後、操作対象となるジョブ番号ボタンを押下する。それらの操作によってジョブ操作画面が表示され、特定のジョブに対する操作が可能となる。
【００５３】
コピー（Copy）キー１２２、およびスキャン（Scan）キー１２４は、画像形成装置１をコピー／スキャナのいずれのモードで動作させるかを設定するための選択キーである。
【００５４】
コピーキー１２２を押下した場合、画像形成装置１はコピー機として使用可能となる。この状態ではスキャナ動作は実行することはできない。
【００５５】
また、スキャンキー１２４を押下した場合、画像形成装置１はスキャナとなる。この状態ではコピー動作を実行することはできない。
【００５６】
なお、コピーキー１２２とスキャンキー１２４は排他的動作となり、一方を選択すると自動的に他方は非選択状態となる。
【００５７】
メイン表示領域１２０の周囲は、サブ表示領域が設けられており、当該サブ表示領域に情報を表示することも可能である。具体的には、後述するが折り曲げ位置を示すための図形や線、色を付加して表示することが可能である。
【００５８】
図５は、表示パネル１０５の折り曲げ状態を説明する図である。
図５に示されるように、表示パネル１０５は、折り曲げ可能な構造を有しており、本例では、９０°に折り曲げた場合が示されている。
【００５９】
そして、表示パネル１０５の画面を複数画面に分割して、折り曲げたそれぞれの画面に関して情報を独立して表示する。
【００６０】
［３．折り曲げ位置の表示例］
図６は、実施形態に従う表示パネル１０５に表示する縦折れの折り曲げ位置を説明する図である。縦折れの折り曲げ位置は、表示パネル１０５を横方向に分割する場合の例である。
【００６１】
図６（Ａ）には、線で縦折れの折り曲げ位置を示す場合が示されている。本例においては表示パネル１０５に３本の線が表示されており、それぞれの位置で折り曲げが可能である場合が示されている。
【００６２】
具体的には、分割して表示する画面が画面Ｐと、画面Ｑとして設けられ、画面Ｐのサイズが横５０ｍｍ、縦６０ｍｍ、画面Ｑのサイズが横５０ｍｍ、縦６０ｍｍで設計されている場合について考える。折り曲げ位置は画面Ｐ，Ｑを横並びに並べて表示する場合には、１：１で分割される位置に設定することが可能である。また、画面Ｐあるいは画面Ｑの一方を９０°回転させて表示する場合には、５：６あるいは６：５で分割される位置に設定することが可能である。すなわち、画面サイズに基づいて複数の折り曲げ位置を表示するようにしても良い。
【００６３】
図６（Ｂ）には、表示パネル１０５に図形（三角）で縦折れの折り曲げ位置を示す場合が示されている。具体的には、三角の図形を上下に表示して、折り曲げ位置を示す場合が示されている。
【００６４】
図６（Ｃ）には、表示パネル１０５に色で縦折れの折り曲げ位置を示す場合が示されている。色で示すことにより視認性を高めることが可能である。
【００６５】
図６（Ｄ）には、表示パネル１０５の背景部に線を表示して縦折れの折り曲げ位置を示す場合が示されている。背景部に線を表示することにより表示内容の邪魔にならないように表示させることが可能である。
【００６６】
表示パネル１０５に折り曲げ位置を表示することにより、表示パネルを折り曲げて操作する場合にユーザーは容易に折り曲げ位置を判断することが可能である。表示パネルの操作性および視認性を向上させて、表示パネルの操作を円滑にすることが可能である。
【００６７】
図７は、実施形態に従う表示パネル１０５に表示する横折れの折り曲げ位置を説明する図である。横折れの折り曲げ位置は、表示パネル１０５を縦方向に分割する場合の例である。
【００６８】
図７（Ａ）には、線で横折れの折り曲げ位置を示す場合が示されている。
図７（Ｂ）には、表示パネル１０５に図形（三角）で横折れの折り曲げ位置を示す場合が示されている。具体的には、三角の図形を左右に表示して、折り曲げ位置を示す場合が示されている。
【００６９】
図７（Ｃ）には、表示パネル１０５に色で横折れの折り曲げ位置を示す場合が示されている。色で示すことにより視認性を高めることが可能である。
【００７０】
図７（Ｄ）には、表示パネル１０５の背景部に線を表示して横折れの折り曲げ位置を示す場合が示されている。背景部に線を表示することにより表示内容の邪魔にならないように表示させることが可能である。
【００７１】
表示パネル１０５に折り曲げ位置を表示することにより、表示パネルを折り曲げて操作する場合にユーザーは容易に折り曲げ位置を判断することが可能である。表示パネルの操作性および視認性を向上させて、表示パネルの操作を円滑にすることが可能である。
【００７２】
図８は、実施形態に従う制御装置１０１の機能ブロックを説明する図である。
図８を参照して、制御装置１０１の機能ブロックは、記憶装置１１０のプログラム１１２を実行することにより実現される。
【００７３】
制御装置１０１は、表示制御部１１４と、分割要求部１１６とを含む。
表示制御部１１４は、表示パネル１０５の表示内容を制御する。具体的には、表示制御部１１４は、図４で説明したように各種モードの表示や設定等を実行するための情報を表示する。
【００７４】
表示制御部１１４は、表示パネル１０５に表示する画面の分割要求を受け付けた場合に、図６および図７で説明したように表示パネル１０５に折り曲げ位置を表示する。
【００７５】
分割要求部１１６は、所定条件を満たした場合に表示制御部１１４に分割要求を出力する。
【００７６】
図９は、実施形態に従う分割要求部１１６の処理を説明するフロー図である。
図９に示されるように、分割要求部１１６は、人検知センサー１０８からセンサ情報を取得する（ステップＳ２）。
【００７７】
分割要求部１１６は、人検知センサー１０８のセンサ情報に基づいて複数のユーザーが有りか否かを判断する（ステップＳ４）。
【００７８】
ステップＳ４において、分割要求部１１６は、複数のユーザーが有りと判断した場合（ステップＳ４においてＹＥＳ）には、分割要求を出力する（ステップＳ６）。
【００７９】
そして、処理を終了する（エンド）。
複数のユーザーがいる場合にはそれぞれのユーザに対して画面を提供する必要が発生するため分割要求を出力する。
【００８０】
表示制御部１１４は、当該分割要求を受け付けて表示パネル１０５に折り曲げ位置を表示することにより表示パネル１０５の操作を円滑にすることが可能である。
【００８１】
（変形例）
図１０は、実施形態の変形例に従う分割要求部１１６の処理を説明するフロー図である。
【００８２】
図１０に示されるように、分割要求部１１６は、人検知センサー１０８からセンサ情報を取得する（ステップＳ２）。
【００８３】
分割要求部１１６は、人検知センサー１０８のセンサ情報に基づいて複数のユーザーが有りか否かを判断する（ステップＳ４）。
【００８４】
ステップＳ４において、分割要求部１１６は、複数のユーザーが有りと判断した場合（ステップＳ４においてＹＥＳ）には、異常が有るか否かを判断する（ステップＳ５）。
【００８５】
ステップＳ５において、分割要求部１１６は、異常が有ると判断した場合（ステップＳ５においてＹＥＳ）には、分割要求を出力する（ステップＳ６）。
【００８６】
そして、処理を終了する（エンド）。
一方、ステップＳ５において、分割要求部１１６は、異常が無いと判断した場合（ステップＳ５においてＮＯ）には、付属装置の接続であるか否かを判断する（ステップＳ８）。付属装置の接続であるか否かは、表示パネル１０５の設定操作により判断するようにしても良いし、本体装置とのロックの解除、ケーブルの接続状況等により判断してもよい。
【００８７】
ステップＳ８において、分割要求部１１６は、付属装置の接続であると判断した場合（ステップＳ８においてＹＥＳ）には、分割要求を出力する（ステップＳ６）。
【００８８】
そして、処理を終了する（エンド）。
一方、ステップＳ８において、分割要求部１１６は、付属装置の接続で無いと判断した場合（ステップＳ８においてＮＯ）には、ステップＳ６をスキップして、処理を終了する（エンド）。
【００８９】
複数のユーザーがいる場合に異常が発生している場合には、当該異常に対応するユーザーであると判断して分割要求を出力する。
【００９０】
表示制御部１１４は、当該分割要求を受け付けて表示パネル１０５に折り曲げ位置を表示することにより異常に対応するユーザーに対しても画面を分割して提供することが可能である。
【００９１】
また、表示制御部１１４は、折り曲げ位置に関して異常の内容に基づいて縦折れ折り曲げ位置あるいは横折れ折り曲げ位置を表示することが可能である。
【００９２】
具体的には、画像形成装置１の側面の搬送路に用紙の詰まりが発生した場合には、ユーザーは、画像形成装置１の側面側で作業することになる。
【００９３】
したがって、その場合には、表示制御部１１４は、図６で説明した縦折れ折り曲げ位置で折り曲げ位置を示すことが可能である。
【００９４】
当該位置で表示パネル１０５を折り曲げることにより、画像形成装置１の正面側で操作するユーザーに対する画面と、側面側で作業するユーザーに対する画面とに分割して情報を提供することが可能である。
【００９５】
例えば、表示制御部１１４は、画像形成装置１の正面側で操作するユーザーに対しては、折り曲げた表示パネル１０５の一方の画面に通常の操作画面を表示し、画像形成装置１の側面側で作業するユーザーに対しては、折り曲げた表示パネル１０５の他方の画面に搬送路に発生して用紙の詰まりを解消するためのガイド動画を再生表示するようにしても良い。その際のガイド動画は、画像形成装置１の側面側で作業するため９０°あるいは２７０°回転させた表示とすることが可能である。
【００９６】
別の例として、画像形成装置１の正面のカセット３７で異常が発生した場合（用紙切れあるいは用紙詰まり）には、ユーザーは、画像形成装置１の正面側で作業することになる。
【００９７】
したがって、その場合には、表示制御部１１４は、図７で説明した横折れ折り曲げ位置で折り曲げ位置を示すことが可能である。
【００９８】
当該位置で表示パネル１０５を折り曲げることにより、画像形成装置１の正面側の上部で操作するユーザーに対する画面と、画像形成装置１の正面側の下部で作業するユーザーに対する画面とに分割して情報を提供することが可能である。
【００９９】
例えば、表示制御部１１４は、画像形成装置１の正面側の上部で操作するユーザーに対しては、折り曲げた表示パネル１０５の一方の画面に通常の操作画面を表示し、画像形成装置１の正面側の下部で作業するユーザーに対しては、折り曲げた表示パネル１０５の他方の画面に用紙の補給あるいは用紙詰まりを解消するためのガイド動画を再生表示するようにしても良い。
【０１００】
また、複数のユーザーがいる場合に異常でない場合であっても、付属装置（フィニッシャー等）の接続作業が発生している場合には、当該接続作業に対応するユーザーであると判断して分割要求を出力する。
【０１０１】
表示制御部１１４は、当該分割要求を受け付けて表示パネル１０５に折り曲げ位置を表示することにより接続作業に対応するユーザーに対しても画面を分割して提供することが可能である。
【０１０２】
また、表示制御部１１４は、折り曲げ位置に関して付属装置の接続作業の内容に基づいて縦折れ折り曲げ位置あるいは横折れ折り曲げ位置を表示することが可能である。
【０１０３】
具体的には、画像形成装置１の側面に付属装置を接続する接続作業を実行する場合には、ユーザーは、画像形成装置１の側面側で作業することになる。
【０１０４】
したがって、その場合には、表示制御部１１４は、図６で説明した縦折れ折り曲げ位置で折り曲げ位置を示すことが可能である。
【０１０５】
当該位置で表示パネル１０５を折り曲げることにより、画像形成装置１の正面側で操作するユーザーに対する画面と、側面側で接続作業するユーザーに対する画面とに分割して情報を提供することが可能である。
【０１０６】
例えば、表示制御部１１４は、画像形成装置１の正面側で操作するユーザーに対しては、折り曲げた表示パネル１０５の一方の画面に通常の操作画面を表示し、画像形成装置１の側面側で作業するユーザーに対しては、折り曲げた表示パネル１０５の他方の画面に付属装置の接続作業を効率的に実行するためのガイド動画を再生表示するようにしても良い。その際のガイド動画は、画像形成装置１の側面側で作業するため９０°あるいは２７０°回転させた表示とすることが可能である。
【０１０７】
上記の実施形態においては、人検知センサーとして、赤外線センサーあるいは画像センサーを用いる場合について説明したが、これに限られず、近接センサーを用いることも可能である。例えば、画像形成装置１の側面側に近接センサーを設けて、当該近接センサーで検知した場合には、複数のユーザーを検知したと判断するようにしても良い。
【０１０８】
上記の実施形態においては、ディスプレイを用いて折り曲げ位置を表示する方式について説明したが、これに限られずＬＥＤ等を用いて折り曲げ位置を表示するようにしても良い。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１  画像形成装置、１０  感光体、１１  帯電装置、１３  露光装置、１４  現像器、１５Ｃ，１５Ｋ，１５Ｍ，１５Ｙ  トナーボトル、１７，４３  クリーニングユニット、１８  トナーセンサ、２０  スキャナー、２１  カバー、２２  用紙台、２３，４９  トレー、２５  プリンター、９０Ｃ，９０Ｋ，９０Ｍ，９０Ｙ  画像形成部、１０１  制御装置、１０２  ＲＯＭ、１０３  ＲＡＭ、１０４  ネットワークインターフェイス、１０５  表示パネル、１０６  スピーカー、１０８  マイク、１１０  記憶装置、１１２  プログラム。
【図１】
2020197818.tif 000003
【図２】
2020197818.tif 000004
【図３】
2020197818.tif 000005
【図４】
2020197818.tif 000006
【図５】
2020197818.tif 000007
【図６】
2020197818.tif 000008
【図７】
2020197818.tif 000009
【図８】
2020197818.tif 000010
【図９】
2020197818.tif 000011
【図１０】
2020197818.tif 000012